【事件の表示】
　平成　６年特許願第１４５７２８号「尿量、尿比重の自動測定装置」拒絶査定に対する審判事件［平成　７年１２月２２日出願公開、特開平　７−３３３２２１］について、次のとおり審決する。
【結　論】
　本件審判の請求は、成り立たない。
【理　由】
１．本願発明
　本願発明（平成６年６月６日出願）は、平成１３年８月２３日付手続補正書により補正された明細書及び図面の記載からみて、その特許請求の範囲１ないし２に記載された次のとおりのものと認められる。
「【請求項１】親機と子機間を回線接続して尿量、尿比重を測定処理する自動測定装置において、親機に回線接続する子機の採尿器に重量センサーを内蔵した器台と、その器台に設けた器体上面に超音波液面計を設けて器台上に載置した採尿カップと前記器体上面の超音波液面計を備えた子機を親機に接続した測定処理装置であって、前記子機の採尿器に設置した超音波液面計の超音波により、前記採尿カップの尿液面の反射時間によって子機に備えた採尿器の尿量、尿比重が親機にデータとして記録処理されるように設けたことを特徴とする尿量尿比重の自動測定装置。
【請求項２】　親機と子機間を回線接続して計測する尿量尿比重の測定処理装置において、子機に備えた採尿器はその器台に接続する超音波比重計を子機の採尿器に設置し、かつ採尿器の器台に載置した採尿カップ内にはカップ内の採尿に超音波比重計の発信器及び受信器を調整可能に吊下し、前記採尿カップ内の尿を通過した超音波信号を親機に送信し採尿カップ内の尿密度の異なる発信信号により尿比重の検出と器台に設置した重量センサーにより検出した尿重量の記録を親機のデータ変換器により検出することを特徴とする尿量尿比重の自動測定装置。」
　
２．引用刊行物
　原査定の拒絶の理由に引用された下記の刊行物：
　　刊行物１：特開平０５−０８００４７号公報
　　刊行物２：実願昭６２−０８４０６４号（実開昭６３−１９３３２２号）のマイクロフィルム
　　刊行物３：特開平０２−０５４０３１号公報
には、それぞれ、次の事項が記載されている。
（１）刊行物１
（１ａ）尿比重測定装置（【請求項１】）
「水位と内容積の関係およびそれ自体の自重が明らかな容器と、この容器に採取された尿の重量を測定する電子ばかりと、前記容器に対して所定高さ上方から一対の電極を尿の表面に向けて下降させこれらの電極が導通するまでの下降長さから尿の水位を測定する水位測定手段と、前記電極の下降に伴なって尿に浸漬されるように設けられた温度センサと、前記電子ばかりで測定された尿の重量と前記水位測定手段で測定された尿の水位および前記温度センサの測定値から尿の比重を演算する比重演算手段と、を備えて構成されていることを特徴とする尿比重測定装置。」
（１ｂ）尿比重と尿量の測定の従来技術（【０００２】〜【０００３】）
「【従来の技術】病院等にあっては、患者の病状の変化等を知るための重要な手がかりの１つとして、患者から排泄された尿の検査がなされる。これらのために患者本人または看護婦により採取された尿は、１回毎にその尿比重と尿量を測定し、さらに１日の総量が測定される。
【０００３】これらの尿を測定するために、従来では、病院のトイレ内に１回毎に採取された尿を尿瓶等で保管する棚が設けられており、これらの尿を１日毎にまとめて病院の職員が尿比重と尿量を測定して記録していた。そして、大量の尿が長時間保管されるために、悪臭や不潔感の大きな要因となっていた。そこで、採取された尿の尿比重と尿量を人手を掛けずに自動的に測定でき、測定後は尿を保管する必要のない装置の提供が望まれていた。」
（１ｃ）目的（【０００７】）
「本発明は、上述のごとき事情に鑑みてなされたもので、洗浄が簡単で１回の測定を短時間に行ない得る尿比重測定装置を提供することを目的とする。」
（１ｄ）課題を解決するための手段（【０００８】）
「かかる目的を達成するために、本発明の尿比重測定装置は、水位と内容積の関係およびそれ自体の自重が明らかな容器と、この容器に採取された尿の重量を測定する電子ばかりと、前記容器に対して所定高さ上方から一対の電極を尿の表面に向けて下降させこれらの電極が導通するまでの下降長さから尿の水位を測定する水位測定手段と、前記電極の下降に伴なって尿に浸漬されるように設けられた温度センサと、前記電子ばかりで測定された尿の重量と前記水位測定手段で測定された尿の水位および前記温度センサの測定値から尿の比重を演算する比重演算手段と、を備えて構成されている。」
（１ｅ）尿量、尿比重（【００１０】）
「【作　用】容器に採取された尿の水位から尿量を求め、この尿量と温度および重量から尿比重が演算される。」
（１ｆ）水位測定手段の設置箇所（【００１４】、【図１】〜【図３】）
　水位測定手段の設置に関しては、「【００１４】そして、容器１４の上方で回動アーム５０の遊端に設けられた測定部５２（図２に示す）に、ピニオン１６の回動により上下動するラック１８が設けられ、このラック１８の下端部に電気的に絶縁された状態の一対の電極２０，２２が下方の尿表面１２に向けて配置される。」と記載され、測定部５２が、電子ばかりの容器載置台に載った容器１４の上方に延びる、ターンテーブル６４の回転中心位置にその回動中心を有する回動アームの遊端に設けられている様子が、【図１】〜【図３】に図示されている。
　
（２）刊行物２
　刊行物２には、尿を収納した容器を計量計本体の容器を載せる器台部分に置き、該器台部分から上方に延びる器体の容器の上部に取り付けられた超音波を送受信する送信器と受信機により、容器中の尿液面からの超音波の反射時間によって尿量を測定するための超音波液面計が記載されている（実用新案登録請求の範囲、第７頁１３行〜第９頁１８行、第６図参照）。
　
（３）刊行物３
　刊行物３には、検尿便器１に備えられた尿中の糖、タンパク等の成分を分析する検尿装置８から得られた尿成分の分析値に基づくデータを、モデム２６を介して電話回線により、病院の管理室等に設備されている中央のコンピュータに送信するすることが記載されている（３頁左上欄２行〜９行参照）。
　
３．請求項１に係る発明と刊行物１に記載された発明との対比
  本願の請求項１に係る発明（以下、「本願発明」という。）と、刊行物１に記載された発明とを対比する。
　本願発明における「採尿器」は、明細書の【０００３】や【０００６】、【図２】に記載されているように、採尿カップを置くことにより尿の重量と液面計からの測定値により尿量、尿比重を自動的に測定する装置である。
　一方、刊行物１に記載された「尿比重測定装置」も、採取された尿を入れた容器を置くことにより尿の重量と容器内の水位測定手段、即ち液面計からの測定値により尿量、尿比重を自動的に測定しているものである（前記記載（１ｅ）参照）。
　そうすると、刊行物１の重量測定手段及び水位測定手段を備えた「尿比重測定装置」は、本願発明における「採尿器」に相当するから、本願発明と刊行物１記載の発明は、
（一致点）
「尿量、尿比重を測定処理する自動測定装置において、採尿器に採尿カップを載置する台を有する重量測定手段と、その載置台の上方に液面計を設けて該載置台上に載置した採尿カップとを備えた測定処理装置である、尿量尿比重の自動測定装置。」
である点で一致するが、次の点で相違する。
（相違点１）
　採尿器の重量測定手段が、本願発明では、採尿カップを載置する器台に重量センサーが内蔵されたものであるのに対し、刊行物１に記載された発明では、採尿カップを載置する台を有する電子ばかりである点。
（相違点２）
　採尿器の液面計が、本願発明では、採尿カップを載置する器台に設けた器体上面に設けられた「超音波液面計」であって超音波液面計の超音波の尿液面の反射時間によってデータが得られるものであるのに対して、刊行物１に記載の発明では、採尿カップ載置台とは別体の回動アームに支持された、所定高さ上方から一対の電極を尿の表面に向けて下降させこれらの電極が導通するまでの下降長さから尿の水位を測定する水位測定手段である点。
（相違点３）
　「尿量、尿比重を測定処理する自動測定装置」が、本願発明では、親機と子機間を回線接続して尿量、尿比重を測定処理する自動測定装置において、親機に回線接続する子機に備えた採尿器の尿量、尿比重が親機にデータとして記録処理されるように設けられたものであるのに対して、刊行物１には、「尿量、尿比重を測定処理する自動測定装置」が親機と回線接続される子機として設けられ、測定した尿量、尿比重を親機にデータとして記録処理されるようにすることは記載されていない点。
　
４．相違点についての検討
　そこで、これらの相違点について検討する。
（１）相違点１、２について
　採尿カップを載置する器台に設けた器体上面に設けられた超音波液面計を設けて器台上においた採尿カップの尿液面の反射時間によって液面位置データが得られる「超音波液面計」は、刊行物２にも記載されているように、本願出願前の公知の液面計にすぎない。
　そして、電子ばかりも、その内部に重量センサーを内蔵し、その上方の台に載置された被測定物の重みを検知して重量測定を行う手段であるから、重量測定手段と液面計とを必要とする尿量、尿比重を測定処理する自動測定装置において、刊行物２に記載の如き「超音波液面計」を液面計として用い、超音波液面計の採尿カップを置く器台に重量センサーを内蔵させて、一体的な尿量尿比重測定装置として設計するようなことは、当業者が容易になし得る設計変更である。
　
（２）相違点３について
　多数の子機を親機と回線接続して、データの送受信や、記録処理を行うことは、本願出願以前より広く一般的に行われていたことであり、病院内においても、様々な子機装置からのデータが回線接続されている中央コンピュータへと送られ、記録処理されていることは、日常でも普通に経験していることにすぎない。
　そして、その採取箇所が通常便器の置かれている個室的な場所である尿に関する測定データについても、検尿装置を備えた「検尿便器」から電話回線により、測定データを病院の管理室等に設備されている中央コンピュータに送信して記録処理することが、前記刊行物３に記載されているように、本願出願前に公知の事項である。しかも、そのような「検尿便器」は、病院内に１台だけでなく、複数台存在し、それらが同様に中央コンピュータと回線接続しているものと認められるから、尿の測定装置において、親機と子機間を回線接続し、子機による尿の測定データを親機にデータとして記録処理することが、本願出願前に知られていたものである。
　そうすると、尿の分析データについてだけでなく、尿量、尿比重を測定処理する自動測定装置においても、中央コンピュータを親機とし、親機に回線接続される子機として採尿カップに採取した尿の尿量、尿比重を測定処理する自動測定装置を設けて、測定した尿量、尿比重を親機にデータとして記録処理されるように設計することは、当業者が必要に応じて設計する範囲内の事項である。
　
（３）相違点の検討結果
　また、それらの構成を採用したことによる効果も、予測される範囲内のものである。
　したがって、本願発明は、刊行物１〜刊行物３に記載された発明に基づいて当業者が容易に発明をすることができたものである。
　
５．　むすび
　以上のとおり、本願発明は、特許法第２９条第２項の規定により、特許を受けることができない。
　よって、結論のとおり審決する。